(57)【要約】【課題】結露を生じさせない通気性に富んだ墓の納骨室の提供。【解決手段】室壁の少なくとも一部に室外と通気可能な通気性部を設けたこと、通気性部は多孔質構造としたこと、通気性部は天然石製又は人造石製又は合成樹脂製又はコンクリート製の何れかであること、通気性部が設けられた室壁の外面側に地上外気と通じる通気流路が無数に形成される通気層を設けたこと、通気層は礫又礫を主成分とする混合組成としたこと、通気性部は室壁と一体的形成されこと、通気性部は室壁の一部に当該室内外に貫通するように形成された空部に着脱自在に嵌め込まれて形成されこと、通気性部は室壁の全部又は一部に設けられたこと、等を特徴とする。【選択図】図４
2008127876.tif 000002
【特許請求の範囲】
【請求項１】
室壁の少なくとも一部に室外と通気可能な通気性部を設けたことを特徴とする墓の納骨室。
【請求項２】
通気性部は多孔質構造としたことを特徴とする請求項１に記載の墓の納骨室。
【請求項３】
通気性部は、天然石製、又は人造石製、又は合成樹脂製、又はコンクリート製の何れかであることを特徴とする請求項１又は請求項２に記載の墓の納骨室。
【請求項４】
通気性部が設けられた室壁の外面側に地上外気と通じる通気流路が無数に形成される通気層を設けたことを特徴とする請求項１乃至請求項３の何れかに記載の墓の納骨室。
【請求項５】
通気層は礫又礫を主成分とする混合組成としたことを特徴とする請求項4に記載の墓の納骨室。
【請求項６】
通気性部は、室壁と一体的形成されことを特徴とする請求項１乃至請求項５の何れかに記載の墓の納骨室。
【請求項７】
通気性部は、室壁の一部に当該室内外に貫通するように形成された空部に着脱自在に嵌め込まれて形成されことを特徴とする請求項１乃至請求項５の何れかに記載の墓の納骨室。
【請求項８】
通気性部は室壁の全部又は一部に設けられたことを特徴とする請求項１乃至請求項５の何れかに記載の墓の納骨室。
【発明の詳細な説明】
【技術分野】
【０００１】
本発明は、室壁の全部又は一部に通気性部が設けられた墓の納骨室に関する。
【背景技術】
【０００２】
墓の納骨室、例えば、石材が組み合わされて成る納骨室は、湿気が多く結露を生じさせ易い。
このような結露は、日々の寒暖の差によって室内や室内に載置された骨壷内において繰り返し発生して、室内や骨壷内に次第に溜まっていく。最悪の場合には骨壷内のお骨が水浸し状態となってしまうこともある。
【発明の開示】
【発明が解決しようとする課題】
【０００３】
本発明は、上記不都合の解消を目的とし、結露を生じさせない通気性に富んだ墓の納骨室の提供を目的とする。
【課題を解決するための手段】
【０００４】
請求項１の墓の納骨室の発明は、室壁の少なくとも一部に室外と通気可能な通気性部を設けたことを特徴とする。
【０００５】
請求項２の発明は、請求項１に記載の墓の納骨室において、通気性部は多孔質構造としたことを特徴とする。
【０００６】
請求項３の発明は、請求項１又は請求項２に記載の墓の納骨室において、通気性部は、天然石製、又は人造石製、又は合成樹脂製、又はコンクリート製の何れかであることを特徴とする。
【０００７】
請求項４の発明は、請求項１乃至請求項３の何れかに記載の墓の納骨室において、通気性部が設けられた室壁の外面側に地上外気に通じる通気流路が無数に形成される通気層を設けたことを特徴とする。
【０００８】
請求項５の発明は、請求項4に記載の墓の納骨室において、通気層は礫又礫を主成分とする混合組成としたことを特徴とする。
【０００９】
請求項６の発明は、請求項１乃至請求項５の何れかに記載の墓の納骨室において、通気性部は室壁と一体的形成されことを特徴とする。
【００１０】
請求項７の発明は、請求項１乃至請求項５の何れかに記載の墓の納骨室において、通気性部は室壁の一部に当該室内外に貫通するように形成された空部に着脱自在に嵌め込まれて形成されことを特徴とする。
【００１１】
請求項８の発明は、請求項１乃至請求項５の何れかに記載の墓の納骨室において、通気性部は室壁の全部又は一部に設けられたことを特徴とする。
【発明の効果】
【００１２】
請求項1乃至請求項８の発明によれば、何れも、通気性部を介して納骨室内の空気が外部と流通するので、結露の発生を効果的に抑制することができる。
【００１３】
請求項２乃至請求項８の発明によれば、何れも、通気性部が多孔質構造のため、外部から室内への虫や塵等の異物の侵入を防ぐことができる。
【００１４】
請求項３の発明によれば、通気性部を墓の造成工事に用いられる身近な素材で形成することができ、経済的であり、手馴れた素材である点から形成作業も比較的容易にできる。
【００１５】
請求項４の発明によれば、従来一般的に行われているように、室壁の外面側が比較的通気性の低い土で押し固められて盛土されるよりも、通気性のある通気層で取り巻くことにより、室壁の通気性部と相俟って、室内と外部との通気性をより確実に確保させることができる。
【００１６】
請求項５の発明によれば、比較的容易に入手し易く且つ廉価な礫或はこのような礫を主成分とする混合物で通気層を形成することができるので、作業性に富み、経済的でもある。
【００１７】
請求項６の発明によれば、通気性部を室壁と一体的に予め形成しておくことによって、墓の造成作業現場で通気性部を造作するよりも、造作作業効率を高めることができる。
【００１８】
請求項７の発明によれば、通気性部を室壁に嵌め込み自在に構成することによって、通気性の劣化に応じて通気性部の交換が可能となるので、数十年以上もの長期にわたる墓の管理も容易となり、納骨室の通気を永年にわたって確保することができる。
【００１９】
請求項8の発明によれば、通気性部は室壁の全壁面、或いは、或一方の壁面、或はこれらの壁面の全部又は一部、或はこれらの壁面の適宜箇所に部分的に配設することにより、墓造成地の湿気条件に応じて、適当な通気性を備えた墓の納骨室を提供することができる。
【発明を実施するための最良の形態】
【００２０】
本発明を床面積が比較的小さい規模の墓の納骨室を実施例１で、大きい規模の墓の納骨室を実施例２で、説明する。
実施例１は、図１乃至図３に示されており、図１は完成された墓の外観斜視図、図２は納骨室が開放された状態の墓の分解斜視図、図３は小さい区画の墓域の密集状態を開放された納骨室群で示す斜視図である。
実施例２は、図４に示されており、納骨室が開放された状態の大きな墓の納骨室の分解斜視図である。
【実施例１】
【００２１】
実施例1において、本発明を、床面積が比較的小さい規模の墓の納骨室に適用した例を、図1乃至図３に基づいて説明する。
図示の墓１は、上部に形成される組み石部２と、組み石部２の下部に形成される納骨室３とで構成される。
【００２２】
納骨室３の床面積が比較的小さい規模の墓１では、図３に示すように、墓域が小さく密集形態に区画される例が最近は多く、墓１の納骨室３同士が互いに隣り合って、納骨室３を形成する室壁３１と隣の納骨室３の室壁３１とが僅かな墓域間隙３２で近接している。
【００２３】
このような納骨室３を形成する室壁３１、例えば、参拝者が相対する正面側の室壁３１Ａを除く、室壁３１Ｂ、３１Ｃ、３１Ｄの全部又は一部に、室外と通気可能な通気性部４を設けると、この通気性部４を介して納骨室３内の空気を外部と交流させることができるので、納骨室３内やそこに載置される骨壷（図示せず）内での結露の発生を抑制することができる。
【００２４】
通気性部４は、例えば砥石や砂岩等の天然石製や人造石製、或いは合成樹脂製又はコンクリート製等の何れであってもよく、室３内の湿気（水分）を室３外に放出可能な材質や構造を備えた部材であればよい。
このような通気性部４は、墓１の造成工事に用いられる身近な素材で比較的容易に入手でき、又形成することができる部材を用いることができるので経済的であり、手馴れた素材である点からも形成作業が比較的容易となる。
【００２５】
又、この通気性部４は、微細な通気機構を備えたものが良く、例えば、多孔質構造の部材が好適である。通気性部４をこのような多孔質構造とすると、外部から室３内への小さな虫や塵等の異物の侵入を防ぐことができる。
【００２６】
通気性部４は、室壁３１を構成する壁の、例えば、室壁四面の内の一面又は二面、或は、参拝側の一面３１Ａを除く三面３１Ｂ、３１Ｃ、３１Ｄの各壁の全部（全面）に形成しても良いし、一部（一面の壁の一部）に形成しても良い。
又、微細な多孔質構造の通気性部４は、見た目において視認できる所謂「通気穴」のようには目立ち難いため、墓造成地の湿気条件に応じて、納骨室３の適当な壁面３１の適当な箇所に適宜設けることができる。
【００２７】
このような通気性部４を室壁３１の一部に形成する場合には、室壁３１の一部に当該室３内外に貫通するように空部４１を穿ち、この空部４１に例えば抜き差が容易で着脱自在に通気性部材４Ａ（図３）を嵌めて室壁３１を完成させてもよい。
このような構造にすると、通気性の劣化に応じて通気性部４Ａの交換が可能となり、数十年以上もの長期にわたる墓の管理容易となり、納骨室３の通気を永年にわたって良好に確保することができる。
【００２８】
又、コンクリートや合成樹脂等で室壁３１を通気性部４（図３）と共に一体成形する場合には、このような通気性部４を形成する部分に所要の通気性部材を、予め、周囲の室壁構成部材（コンクリートや合成樹脂）と馴染むようにセットしてから硬化させて一体的に成形してもよい。
このように、通気性部４を室壁３１と一体的形成しておくと、墓の造成作業現場で通気性部４をその都度造作するよりも、予め一体成形された室壁３１を用意しておき、作業現場に運んで作業する方が作業効率がよい。
【実施例２】
【００２９】
上記実施例１では、墓域が小規模であるため、図３に示すように、納骨室３を形成する室壁３１（実施例では３１Ｂ、３１Ｃ、３１Ｄ）が墓域間隙３２を介して外気に直接接しているが、墓域の規模が大きくなると、納骨室３の周囲は土（盛土・図示せず）で囲まれてしまう。
実施例２では、上記実施例１で説明した通気性部４（４Ａ、４）を全部又は一部に備えた室壁３１を用いた比較的大きな規模の墓の納骨室３０について説明する。
【００３０】
図４において、通気性部４が設けられた室壁３１の外面側には、墓地の土（盛土）に代えて、地上の外気に通じる通気流路が無数に形成されるように通気層５を設ける。
このような通気層５としては、例えば、礫や礫を主成分として適当な素材を混合させた組成物を用いる。
尚、通気層５の外郭を囲む外壁（石材）６には通気層５に降り注ぐ雨水の吐け口６１を設けるとよい。
【００３１】
通気性部４が形成された納骨室３０の室壁３１の外面側が、通気性の低い土（盛土）で押し固められるよりも、このように通気性が確保された通気層５で取り巻かれるように構成することにより、室壁３１の通気性部４と相俟って、納骨室３内の空気の外部との流通が確保されるので、上記実施例１の場合と同様に、納骨室３０内やそこに載置される骨壷（図示せず）内での結露の発生を効果的に抑制することができる。
【産業上の利用可能性】
【００３２】
本発明によれば、地上に納骨室が設定される墓だけでなく、納骨室が地下或いは盛土に囲まれる構造の墓についても広く適用することができる。
【図面の簡単な説明】
【００３３】
【図１】完成された墓の外観斜視図である（実施例１）。
【図２】納骨室が開放された状態の墓の分解斜視図である（実施例１）。
【図３】小さい墓域の密集状態で開放された納骨室群を示す斜視図である。
【図４】納骨室が開放された状態の大きな墓の納骨室の分解斜視図である。
【符号の説明】
【００３４】
１    墓
３、３０    納骨室
３１、３１Ａ、３１Ｂ、３１Ｃ、３１Ｄ、３１    室壁（納骨室）
４、４Ａ、４    通気性部
５  通気層
【図１】
2008127876.tif 000003
【図２】
2008127876.tif 000004
【図３】
2008127876.tif 000005
【図４】
2008127876.tif 000006